(57)【要約】【目的】本発明は、インターネット上で利用する懸賞サイト及び懸賞検索サイトに関する発明である。【構成】本発明は、「あなたの誕生日で当たるホームページ店」は、本発明の権利者と、管理運営をする管理会社と、加盟店とからなり、管理会社のホームページ内で加盟店をグループ分けして管理し少なくとも当選番号発表のページは会員制とすることで利用者に利用規制を設け、登録をした利用者は、登録した誕生日が当選しているホームページを探し、当選している場合に当選確認登録をし、賞品を受けとることを特徴とする「あなたの誕生日で当たるホームページ店」の構成とした。【選択図】  図３
2004303159.tif 000002
【特許請求の範囲】
【請求項１】
本発明の権利者と、管理運営をする管理会社と、加盟店とからなることを特徴とする「あなたの誕生日で当たるホームページ店」。
【請求項２】
管理会社のホームページ内で加盟店をグループ分けして管理し少なくとも当選番号発表のページは会員制とすることで利用者に利用規制を設けたことを特徴とする「あなたの誕生日で当たるホームページ店」。
【請求項３】
誕生日等の個人情報を登録し、登録した誕生日が当選しているホームページを探し、当選している場合に当選確認登録をし、賞品を受けとることを特徴とする「あなたの誕生日で当たるホームページ店」。
【発明の詳細な説明】
【０００１】
【発明が属する技術分野】
本発明は、インターネット上で利用する懸賞サイト及び懸賞検索サイトに関する発明である。
【０００２】
【従来の技術】
従来、インターネット上で行われている懸賞サイト及び懸賞検索サイトは利用者が応募フォーム等に毎回記入して送信し、抽選により当選か否かがわかる方法がとられており、懸賞検索サイトは懸賞等を行っているホームページを検索してジャンプし、応募フォーム等に記入して送信し、当選結果を待つ方法が取られていた。
【０００３】
【発明が解決しようとする課題】
しかしながら、従来の方法では懸賞サイトの中でも高額賞品等を扱う企業等ばかりに応募が殺到してしまい、小さな企業等が扱う賞品には利用者の注意が向かず、広告等の役目さえも果たせないホームページとなっていた。
【０００４】
また、応募フォーム等に記入する手間がかかるため、利用者としては毎回記入し送信するという面倒と、当たる確率が非常に低いため次第に懸賞サイトを見る回数が減るという問題があった。
【０００５】
そこで、本発明では、利用者は最初に登録する時だけ登録フォームに記入し、後は当選したときだけ記入し送信すればよく、当選しているかどうかを知るには様々な加盟店のホームページで発表されている当選番号を自ら見に行き、当選の場合は自己申告をするホームページ検索サイトを提供することを目的とするものである。
【０００６】
【課題を解決するための手段】
本願発明である「あなたの誕生日で当たるホームページ店」は、本発明の権利者と、管理運営をする管理会社と、加盟店とからなり、管理会社のホームページ内で加盟店をグループ分けして管理し少なくとも当選番号発表のページは会員制とすることで利用者に利用規制を設け、登録をした利用者は、登録した誕生日が当選しているホームページを探し、当選している場合に当選確認登録をし、賞品を受けとることを特徴とする「あなたの誕生日で当たるホームページ店」の構成とした。
【０００７】
【実施例】
以下に添付図面に基づき、本発明である「あなたの誕生日で当たるホームページ店」について詳細に説明する。図１、図２は、本発明である「あなたの誕生日で当たるホームページ店」の関係図である。図１に示すように、本発明である懸賞サイト「あなたの誕生日で当たるホームページ店」１は、権利者（出願人）２と、管理会社３と、複数の加盟店４、４、４・・・とからなる。
【０００８】
管理会社３は、権利者（出願人）２より「あなたの誕生日で当たるホームページ店」１の定期運営権を買い、「あなたの誕生日で当たるホームページ店」１を運営し、また加盟している加盟店４、４、４・・・の管理を行う。
【０００９】
図２に示すように、「あなたの誕生日で当たるホームページ店」１の構成は、前記管理会社３に加盟をした加盟店４、４、４・・・が持つ加盟店のホームぺージ７、７、７・・・を管理会社のホームぺージ６でグループ６ａ、６ｂ、６ｃ分けて管理し、管理会社のホームページ６で登録をした利用者５、５、５・・・のみが加盟店のホームページ７、７、７・・・を利用することが出来る構造としている。
【００１０】
図３は、本発明である「あなたの誕生日で当たるホームページ店」の流れを示したフローチャートである。図３に示すように、まず、前記利用者５は、管理会社のホームページ６へインターネットを使用してアクセスし、「会員Ｎｏ認証」８を行う。
【００１１】
前記「会員Ｎｏ認証」８で既存の会員の者は、そのまま「ＩＤ入力」１１を行い本発明である「あなたの誕生日で当たるホームページ店」１を利用できる。新規の者は、まず、「ＩＤ登録」９を行い、「ＩＤ配布」１０を待つ。この「ＩＤ配布」１０は必要事項を記入するとその場で割り当てられるようにしても、後に電子メールにて発行してもよく、また郵便などにより配布してもよいものとする
。
【００１２】
前記「ＩＤ配布」１０により会員番号を得た利用者５は、「ＩＤ入力」１１においてＩＤを入力し、「誕生日で当たるホームページ店ＴＯＰページ」（以下、ＴＯＰページ）１２へ入ることができる。この時、管理会社３が独自に設けた「プチ当選発表」１１ａが用意されており、「ＴＯＰページ」１２にログインする度に、まず管理会社３が発表している抽選に当選しているかどうかが分かるようにしても、当選誕生日を一部数字公開又は全数字非公開として、利用者が誕生日を入力して「当選」または「ハズレ」のランプで知らせるようにしても良い。また、当選の場合、何等に当選したかを同時に知らせるようにしても良く、全て管理会社の自由である。
【００１３】
管理会社３で当選していた場合、管理会社３の設けた引き替え方法にそって「賞品を得る」１１ｂことができる。当選か否かを確認したのち、「ＴＯＰページ」１２に行き、多数用意された検索方法の中から、好きな検索方法を選んで懸賞を行っているホームページを検索することが出来る。
【００１４】
「検索方法選択」１３より任意の選択方法を選び、「ホームページ一覧」１４が表示されその一覧より「好きなホームページを選び閲覧」１６する。加盟店のホームページ７内にある「当選番号発表ページ」１７で自己の申請した誕生日（普通は本人の誕生日）と一緒で当選していれば、「当選確認登録」１５を行う。
【００１５】
また加盟店のホームページの中には、当選番号を一部かくして公開しているものや全部を非公開としている場合もあり、その場合には「誕生日入力で確認」１８を行い、当選していた場合は前記「当選確認登録」１５を行い、後日「賞品を得る」２０。
【００１６】
前記「誕生日入力で確認」１８とは、一部を隠し、又は全部を非公開とされている当選番号発表ページ上で、誕生日を入力し、その誕生日が当選ならば当選ランプがつき、ハズレであればハズレランプがつくという段階のことである。当選ランプがついた場合、前記「当選確認登録」１５を行うこととなる。
【００１７】
「誕生日入力で確認」１８で当選しなかった後や、当選し当選確認登録後は、前記「好きなホームページを選び閲覧」１６または「終了」１９へ進む。「好きなホームページを選び閲覧」１６へ戻った場合、同じように加盟店のホームページ内から「当選番号発表ページ」１７を探し当選か否かを確認し、当選ならば「当選確認登録」１５を行えばよい。「終了」１９を選んだ場合「ログアウト」２１となる。
【００１８】
図４から図１０は、本発明である「あなたの誕生日で当たるホームページ店」の各ページを示した図である。図３のフローチャートと合わせて説明することとする。
【００１９】
図４は、「あなたの誕生日で当たるホームページ店」の管理会社のホームページを示した図である。管理会社のホームページ６は、図３のフローチャートの中の利用者が一番最初に見る画面である。
【００２０】
図４に示すように、管理会社のホームページ６には、ページの上部にサイトタイトル６ｄが記載されており、その下に会員規約６ｅ、参加者ログイン６ｆ、加盟店管理用ログイン６ｊ等がある。尚、この配置及び記載する内容は、特に限定したものではなく、会員登録をしていない人のためのサンプルページや、会員制限をしていないコンテンツを記載しても良いものとする。
【００２１】
参加者ログイン６ｆにはＩＤ記入欄６ｇがあり、既存の会員は、ここにＩＤを打ち込み下の決定ボタン６ｈを押してログインすることが出来る。会員でない場合は、新規会員登録６ｉより新規会員登録画面へ行き、会員登録すればよい。
【００２２】
また、加盟店管理用ログイン６ｊにもＩＤ入力ボタン６ｋがあり、既存の加盟店はここにＩＤを打ち込み、下の決定ボタン６ｌを押してログインすることが出来る。加盟していない場合には、新規加盟店登録６ｍより新規加盟店登録画面へ行き、加盟店登録すればよい。
【００２３】
図５は、「あなたの誕生日で当たるホームページ店」での新規会員登録画面を示した図である。ＩＤ登録９の画面は、図３のフローチャートの中で利用者が新規に会員登録するときに使用する画面である。新規会員登録画面９ｂの上には、サイトタイトル９ａが記載されている。
【００２４】
ＩＤ登録９の画面には、新規会員登録画面９ｂがあり、その中に会員登録に必要な情報を打ち込む欄が用意されている。必要な会員情報にはフリガナ９ｃ、氏名９ｄ、住所９ｅ、電話番号自宅９ｆ、電話番号携帯９ｇ、生年月日９ｈ、性別９ｉ、メールアドレス９ｊ、希望パスワード９ｋ、確認入力９ｌ等の欄がある。この必要会員情報は、特に限定したものではないため、他に必要と思われる情報があれば、それを追加してもよく、内容については、管理会社３の自由とする。
【００２５】
以上の情報を入力し、下の送信ボタン９ｍを押して会員登録を実行する。会員登録の返事としてＩＤが配布されるが、これは会員情報送信後にその場で配布しても良いし、後に電子メール等にて受けとる方法もある。
【００２６】
図６は、「あなたの誕生日で当たるホームページ店」でのＴＯＰページを示した図である。「あなたの誕生日で当たるホームページ店」でのＴＯＰページ（以下、ＴＯＰページ）１２は、図３のフローチャートの中では利用者５がＩＤを入力しログインした最初のページである。
【００２７】
ＴＯＰページ１２には、加盟店のホームページを色々な方法で検索してゆくためのホームページＮａｖｉ２２と色々なデータを公開したデータベースＮａｖｉ２３を含んだ検索補方選択１３がある。また、加盟店のホームページで登録した自分の誕生日が当選していた場合に使用する当選登録ボタン１５ａがあり、上部にはサイトタイトル１２ａが記載されている。
【００２８】
ホームページＮａｖｉ２２は、「あなたの誕生日で当たるホームページ店」１に加盟している全ての加盟店のホームページを色々な目的別に検索できるシステムであり、新着順に検索２２ｆ、賞品種類で検索、地域別で検索、職種別で検索、当選番号発表方法で検索、パスポート券で検索、当選発表周期で検索及び、キーワード検索などがある。尚、キーワード検索は、キーワード入力欄２２ｄにキーワードを入力し右にある入力ボタン２２ｅを押して検索出来る。
【００２９】
また、これらの検索方法が検索グループ２２ａ、２２ｂ、２２ｃに分かれていることは、特に限定しているものではなく、グループ分けをせずに検索方法の一覧として記載しても、更に細かくグループ分けをして記載しても構わない。
【００３０】
以上の検索方法は、この種類に限定されたものではなく、他の検索方法を追加することも可能である。
【００３１】
データベースＮａｖｉ２３は、「あなたの誕生日で当たるホームページ店」１での結果をデータベースとして整理し、利用者５に情報を公開する場である。本発明では、データベースＮａｖｉ２３を色々データベース２３ａと誕生日データベース２３ｂとに分けたが、これは特に限定したものではなく、一つのカテゴリとして記載しても良いし、更に細かく分けて記載しても良い。
【００３２】
前記色々データベース２３ａには、賞品種類別、地域別、職業別、周期別等で一覧を見ることが出来る当選誕生日一覧や、最高賞品額順、最多当選誕生日などの一覧が見ることが出来るデータベースがある。これらのデータ提供方法は特に限定したものではないので、データ提供方法を加えても良いものとする。
【００３３】
前記誕生日データベース２３ｂは、和暦誕生日入力欄２３ｃに入力した誕生日に関係するデータを見るときに使用する検索方法である。前記和暦誕生日入力欄２３ｃに誕生日を入力し、データ検索ボタン２３ｄを押すことで入力した誕生日がこれまでにどんな賞品に当選していたかを見ることが出来る。また、和暦誕生日入力欄２３ｃに入力した誕生日は、すぐ下に設けた西暦誕生日入力欄２３ｅに西暦に変換して表示され、先に西暦誕生日入力欄２３ｅに入力した場合、上の和暦誕生日入力欄２３ｃに和暦に変換されて表示される仕組みとなっている。
【００３４】
図７は、本発明である「あなたの誕生日で当たるホームページ店」での検索ページを示した図である。図３のフローチャートでは、ホームページ一覧表示１４の部分であり、図７では特に、図６に示した新着順に検索２２ｆを利用した場合の表示画面を示した。
【００３５】
図７に示すように、新着順で検索２２ｆの画面は上部にサイトタイトル１４ａが記載されており、その下に新たに賞品を提供した加盟店が加盟店データ１４ｂとして新着順に記載される。この場合、新着のものが常に一番上に表示されることで、利用者は最新の賞品提供加盟店がどこであるか分かりやすい。
【００３６】
前記加盟店データ１４ｂは、加盟店の登録ナンバー１４ｃ、抽選方法表示１４ｄ、加盟店名１４ｅ、ホームページアドレス１４ｆが上部に表示され、その下の欄にどんな商品を扱っているかなどの加盟店の説明１４ｇ、加盟店の住所及び電話番号１４ｈ、現在発表している誕生日によって当たる提供賞品１４ｉ、当選した場合の賞品交換パスポートが必要かどうかを知らせる当選賞品交換パスポートの有無１４ｊ及びメールアドレス１４ｋ等が記載されている。
【００３７】
前記加盟店データ１４ｂに記載する内容は特に限定しているものではないので、商品広告を記載したり、地図を記載することも自由であるし、全体的な表示方法やレイアウト等も変更することが出来る。
【００３８】
前記加盟店データ１４ｂに記載した登録ナンバー１４ｃ、加盟店名１４ｅ、ホームページアドレス１４ｆ等は、加盟店のホームページとリンクされており、利用者は一覧画面より直接そのホームページへジャンプすることができる。
【００３９】
図８は、本発明である「あなたの誕生日で当たるホームページ店」での当選番号発表ページを示した図である。図３のフローチャートでは、当選番号発表ページ１７の部分である。
【００４０】
図８に示すように当選番号発表ページ１７は、上部にページタイトル１７ａが記載され、その下に当選対象月１７ｂ、当選更新日１７ｃ、有効期間１７ｄ、画面中央に賞品一覧１７ｅが記載されている。
【００４１】
図８に示した加盟店のホームページで示しているのは、この加盟店は３月分の当選発表をしており、更新する日は毎月１日で、当選した場合の誕生日番号の有効期間及びその掲示は３月の１カ月間であることが分かる。
【００４２】
また、賞品一覧１７ｅにおいて、各賞品における当選誕生日を全て公開しているので、登録してある自分の誕生日が当選しているかどうかは一目瞭然である。この当選誕生日の表示方法には、いくつかパターンがあり、その表示方法は各加盟店が自由に決めて良い。但し、当選誕生日の表示方法に関しては、図７で示した前記抽選方法表示１４ｄで公表しておかなければならない。
【００４３】
前記賞品一覧１７ｅの下には、注意書き１７ｆと、住所、ホームページアドレス、メールアドレス等が記載された加盟店情報１７ｇと、管理会社のバナー広告１７ｈが載っている。但し、この当番号発表ページ１７のレイアウト等の表示方法は、加盟店で自由に作ることができるため、図８に示した表示方法に限定しているものではない。
【００４４】
また、当選本数の発表方法も、図８に示すように賞品を受けとることの出来る本数を表示しても良いし、期間中であれば当選した方全員という形でも良く、更に、１つの賞品に対して当選誕生日を複数設け、その誕生日の当選者の中から先着順で決めるという形にしてもよい。
【００４５】
当選誕生日の発表方法において、図８では、全数字公開の場合の例としたが、他には当選誕生日を一部数字公開とする方法や全数字非公開とする方法があり、一部数字公開と全数字公開の場合は、誕生日入力を画面上に設け利用者は利用者が会員登録の際に登録した誕生日を入力することで、「当選」又は「ハズレ」を確認出来るようにする。
【００４６】
「当選」又は「ハズレ」の告知方法はランプ点灯式になっており、誕生日を入力し確定等のボタンを押すことで、「当選」又は「ハズレ」のランプが点く。また、「当選」の場合は、何等に当選しているかが分かるようにしても良く、その方法は加盟店及び管理会社の自由とする。
【００４７】
また、当選誕生日を会員登録をしている利用者以外には公開したくない場合、誕生日を入力するとと同時にＩＤを入力するようにし、両方入力しないと「当選」か「ハズレ」か分からないようにしても良い。
【００４８】
図９は、本発明である「あなたの誕生日で当たるホームページ店」での当選者登録画面を示した図である。図３のフローチャートでは、当選確認登録１５にあたる。
【００４９】
各加盟店のホームページで自分の登録しおいた誕生日が当選していた場合、図９に示した当選確認登録１５をすることとなる。この画面に来るには図６に示したＴＯＰページ１２に戻り、検索方法選択１３の中にある当選登録ボタン１５ａから来ることが出来る。
【００５０】
図９に示すように当選確認登録１５は、当選者登録画面１５ｂがある。各加盟店のホームページで賞品に当選していることを知った利用者は、この画面で当選者ＩＤ１５ｃ、認証パスワード１５ｄ、当選者氏名１５ｅ、当選ＨＰの登録ナンバー１５ｆ、どのランクに当選したかを記入する当選ランク１５ｇ及び当選賞品交換１５ｈのパスポート要、不要のどちらかをチェックし、送信ボタン１５ｉを押して登録となる。
【００５１】
本発明における当選確認登録１５が必要な理由は、まず、当選誕生日と同一日の誕生日を登録している利用者が全て賞品を貰えるといものではなく、あくまでも当選確認登録１５をした順番で賞品を手に入れることが出来るというシステムだからである。当選していても、当選確認登録１５をしなければならず、また賞品の数に限りがあるため誰よりも早く当選番号を確認し、当選本数内に当選確認登録１５をしなければならない。尚、加盟店側では、提供賞品が規定人数に達し打ち止めになっていても賞品の打ち止めを表示をするかしないかは、加盟店の自由とする。
【００５２】
図１０は、本発明である「あなたの誕生日で当たるホームページ店」での誕生日データベース画面を示した図である。図３のフローチャートでは、ＴＯＰページ１２の部分である。
【００５３】
図１０に示すように、誕生日データベース画面２４は、上部にサイトタイトル２４ａが記載され、その下に誕生日情報２４ｂが記載されている。誕生日情報２４ｂには、検索した誕生日の誕生日表示２４ｃがあり、その下に当選賞品履歴一覧２４ｈが表示される。誕生日表示２４ｃには和暦と西暦で誕生日が表示される仕組みとなっている。
【００５４】
当選賞品履歴一覧２４ｈは、当選日又は当選月、当選店舗名２４ｅ、当選賞品、次回発表日２４ｄ等が記載され、当選店舗名２４ｅに記載された各加盟店名をクリックすることで、直接その加盟店のホームページへジャンプ出来る。
【００５５】
当選賞品履歴一覧２４ｈの下には、各加盟店一同からのメッセージ２４ｆと、注意２４ｇが記載され、次回の発表への関心度を上げる効果がある。
【００５６】
尚、この当選賞品履歴一覧２４ｈに記載された賞品等は、既に賞品の交換時期を終えた賞品のみとしているので、ここで当選を確認してから当選確認登録１５をしても賞品をもらうことはできない仕組みになっている。
【００５７】
図１１は、本発明である「あなたの誕生日で当たるホームページ店」で使用する当選賞品交換パスポートの正面図である。当選賞品交換パスポート２５は、当選した利用者５が賞品を受けとる時に必要なパスポートで、これは管理会社のホームページ６や、各店舗のホームページから郵送してもらい手に入れることができる。
また、実際に店頭でもらうことも出来る。
【００５８】
この当選賞品交換パスポート２５は、上部にパスポート名２５ａが書かれ、加盟店名２５ｂ、住所２５ｃ、電話番号２５ｄ、ホームページアドレス２５ｅ、メールアドレス２５ｆ、広告２５ｇ、地図２５ｌ等の加盟店情報や、その加盟店が行っている抽選の当選周期２５ｈ、パスポートの有効期間２５ｉ、注意２５ｍ等の抽選に関わる事項などが記載されている。
【００５９】
前記当選賞品交換パスポート２５には、捺印欄２５ｊがあり、この部分に加盟店の印２５ｋがないものは、利用することはできない。そのため、インターネット上からこのチケットを送付してもらったり、プリントアウト等の手段で手に入れた場合は、加盟店の意向により加盟店の印２５ｋがないことがあるので、その場合は、店頭へもって行き印２５ｋを押してもらい有効なパスポートにしてもらう。
【００６０】
一見、面倒なように見えるこのパスポート利用は、全ての加盟店に強制されているものではなく、加盟店の考えで使用しなくても構わないものである。当選賞品交換パスポートを２５を使用する理由は、広域範囲の利用者を対象としたホームページの視聴者獲得を目的としたものではなく、ホームページを見た近隣住民が実際に店頭まで足を運ぶようになることを目的としたものである。
【００６１】
そのため、当選発表後に複数の利用者が当選確認登録をしても、実際には店頭で当選賞品交換パスポート２５による交換となるので、近隣に住む利用者にとっては、当選し、賞品と交換できる確率が上がり、常にその加盟店の動向に目を向けてくれるようになる。
【００６２】
上記当選賞品交換パスポート２５を使用する加盟店は、近隣住民をターゲットとしているため、利用者としては図６に示したＴＯＰページ１２での検索において地域別で検索を使用したり、パスポートは必要か否かで検索することで、自分にとって無駄な加盟店のホームページまで検索してしまうことを避けることが出来る。
【００６３】
図１２は、本発明である「あなたの誕生日で当たるホームページ店」を加盟店側が利用した場合の流れを示したフローチャートである。加盟店側の新規加盟や、ホームページ内容の変更などを行う場合、加盟店側の入口を使用する。
【００６４】
図４、図１２に示すように、会員Ｎｏ認証２６で新規の場合、まずＩＤ登録２７をしＩＤが発行されるのを待つ。ＩＤ登録は「こちらから」と記載された新規加盟店登録６ｍからＩＤ登録２７をし、ＩＤ配布２８を待つ。発行された後は、加盟店管理用のＩＤ入力欄６ｋにＩＤ入力２９をし決定ボタン６ｌを押してログインする。既存会員は、ＩＤ入力欄６ｋにＩＤを入力し、決定ボタン６ｌでログインする。
【００６５】
図１２に示すように、加盟店側は加盟店管理用からログインすると加盟店ホームページアップロード画面３０に行くことができ、そこで内容の追加・訂正・削除３１等を行い、アップロード（データ転送）３２をする。アップロードが終わったらログアウト３３すればよい。
【００６６】
加盟店側は、ホームページのうち当選番号発表ページ１７だけを管理会社３に任せ、他のページについては独自で管理する方法をとることもでき、その場合は、管理会社３に任せているページだけをアップロード３２すればよい。勿論、全てのページの管理を任せ、アップロード３２だけしてもよい。
【００６７】
全ての管理を管理会社３に任せた場合、会員以外の者はそのホームページを見ることができないため、発表中の当選番号だけを見られる心配はないが、当選番号発表ページ１７の管理だけを任せている場合、会員ではなくても見ることの出来るページからのリンクで発表中の当選番号を見られてしまう可能性があるが、その場合は、当選番号発表ページ１７だけをＩＤ入力型の会員専用ページとする等の措置を取る。しかし、ホームページにアクセスした人全員に公開するという形を取っても良く、その場合、図８に示したように注意書き１７ｆの下に管理会社のバナー広告１７ｈを設け会員登録を促す。
【００６８】
図１３は、本発明である「あなたの誕生日で当たるホームページ店」での新規加盟店登録画面を示した図である。図１３に示すように、ＩＤ登録２７を行う新規加盟店登録画面２７ｂは、上部にサイトタイトル２７ａが記載され、次の必要事項を記入することになっている。
【００６９】
必要事項とは、店舗名他２７ｃ、取扱商品他２７ｄ、ＵＲＬ２７ｅ、代表者氏名２７ｆ、フリガナ２７ｇ、住所２７ｈ、電話番号２７ｉ、メールアドレス２７ｊ、希望パスワード２７ｋ、確認入力２７ｌなどがあり、以上を記入し送信ボタン２７ｍを押して登録申請が完了する。尚、ＩＤ配布は送信完了後そのまま画面上で行われるか、電子メール若しくは郵送によるものとすることが出来る。
【００７０】
本発明である「あなたの誕生日で当たるホームページ店」は、上記の通り当選か否かの判断材料を登録した誕生日としたが、判断基準は誕生日に限定しているわけではなく、例えばポイントカード、クレジットカード、キャッシュカード、運転免許証、車の登録番号、電話番号、商品についているナンバー、レシートナンバー等一定の番号がついた者を対象とし、その番号を登録し抽選するという形にも転用できる。
【００７１】
【発明の効果】
本発明は、以上に説明したような構成であるから以下の効果が得られる。第１に、誕生日を登録した後は、利用者は登録した誕生日を当選番号としている加盟店を見つけ出すために全加盟店のホームページへアクセスするようになるので、加盟するだけでホームページへのアクセス率を上げることができる。
【００７２】
第２に、賞品交換の際に当選賞品交換パスポートを使用することで、ホームページを見て当選していた近隣住民を直接店舗へ出向かせることができる。
【００７３】
第３に、加盟店独自の周期で抽選及び発表を行っているため、利用者は定期的に利用すると当選登録に出遅れてしまう可能性があるので、毎日に近い状態で各加盟店のホームページを見てもらえるようになる。
【００７４】
誰もが持っている誕生日を始めとし、ポイントカード、クレジットカード、キャッシュカード、運転免許証、車の登録ナンバー、電話番号、商品についているナンバー、レシートナンバー等の一定の番号がついているものを対象とすることができるため、誰でも気軽に会員登録ができ、加盟店の各ホームページのアクセス数は格段に上がる。
【図面の簡単な説明】
【図１】本発明である「あなたの誕生日で当たるホームページ店」の関係図である。
【図２】本発明である「あなたの誕生日で当たるホームページ店」の関係図である。
【図３】本発明である「あなたの誕生日で当たるホームページ店」の流れを示したフローチャートである。
【図４】本発明である「あなたの誕生日で当たるホームページ店」の管理会社のホームページを示した図である。
【図５】本発明である「あなたの誕生日で当たるホームページ店」での新規会員登録画面を示した図である。
【図６】本発明である「あなたの誕生日で当たるホームページ店」でのＴＯＰページを示した図である。
【図７】本発明である「あなたの誕生日で当たるホームページ店」での検索ページを示した図である。
【図８】本発明である「あなたの誕生日で当たるホームページ店」での当選番号発表ページを示した図である。
【図９】本発明である「あなたの誕生日で当たるホームページ店」での当選者登録画面を示した図である。
【図１０】本発明である「あなたの誕生日で当たるホームページ店」での誕生日データベース画面を示した図でる。
【図１１】本発明である「あなたの誕生日で当たるホームページ店」で使用する当選賞品交換パスポートの正面図である。
【図１２】本発明である「あなたの誕生日で当たるホームページ店」を加盟店側が利用した場合の流れを示したフローチャートである。
【図１３】本発明である「あなたの誕生日で当たるホームページ店」での新規加盟店登録画面を示した図である。
【符号の説明】
１      あなたの誕生日で当たるホームページ店
２      権利者（出願人）
３      管理会社
４      加盟店
５      利用者
６      管理会社のホームページ
６ａ    グループ
６ｂ    グループ
６ｃ    グループ
６ｄ    サイトタイトル
６ｅ    会員規約
６ｆ    参加者ログイン
６ｇ    ＩＤ入力欄
６ｈ    決定ボタン
６ｉ    新規会員登録
６ｊ    加盟店管理用ログイン
６ｋ    ＩＤ入力欄
６ｌ    決定ボタン
６ｍ    新規加盟店登録
７      加盟店のホームページ
８      会員Ｎｏ認証
９      ＩＤ登録
９ａ    サイトタイトル
９ｂ    新規会員登録画面
９ｃ    フリガナ
９ｄ    氏名
９ｅ    住所
９ｆ    電話番号自宅
９ｇ    電話番号携帯
９ｈ    生年月日
９ｉ    性別
９ｊ    メールアドレス
９ｋ    希望パスワード
９ｌ    確認入力
９ｍ    送信ボタン
１０      ＩＤ配布
１１      ＩＤ入力
１１ａ    プチ当選発表
１１ｂ    賞品を得る
１２      誕生日で当たるホームページ店ＴＯＰページ
１２ａ    サイトタイトル
１３      検索方法選択
１４      ホームページ一覧表示
１４ａ    サイトタイトル
１４ｂ    加盟店データ
１４ｃ    登録ナンバー
１４ｄ    抽選方法表示
１４ｅ    加盟店名
１４ｆ    ホームページアドレス
１４ｇ    加盟店説明
１４ｈ    住所及び電話番号
１４ｉ    提供賞品
１４ｊ    当選賞品交換パスポートの有無
１４ｋ    メールアドレス
１５      当選確認登録
１５ａ    当選登録ボタン
１５ｂ    当選者登録画面
１５ｃ    当選者ＩＤ
１５ｄ    確認パスワード
１５ｅ    当選者氏名
１５ｆ    登録ナンバー
１５ｇ    当選ランク
１５ｈ    当選賞品交換
１５ｉ    送信ボタン
１６      好きなホームページを選び閲覧
１７      当選番号発表ページ
１７ａ    ページタイトル
１７ｂ    当選対象月
１７ｃ    当選更新日
１７ｄ    有効期間
１７ｅ    賞品一覧
１７ｆ    注意書き
１７ｇ    加盟店情報
１７ｈ    管理会社のバナー広告
１８      誕生日入力で確認
１９      終了
２０      賞品を得る
２１      ログアウト
２２      ホームページＮａｖｉ
２２ａ    検索グループ
２２ｂ    検索グループ
２２ｃ    検索グループ
２２ｄ    キーワード入力欄
２２ｅ    入力ボタン
２２ｆ    新着順に検索
２３      データベースＮａｖｉ
２３ａ    色々データベース
２３ｂ    誕生日データベース
２３ｃ    和暦誕生日入力欄
２３ｄ    データ検索ボタン
２３ｅ    西暦誕生日入力欄
２４      誕生日データベース画面
２４ａ    サイトタイトル
２４ｂ    誕生日情報
２４ｃ    誕生日表示
２４ｄ    次回発表日
２４ｅ    当選店舗名
２４ｆ    メッセージ
２４ｇ    注意
２４ｈ    当選賞品履歴一覧
２５      当選賞品交換パスポート
２５ａ    パスポート名
２５ｂ    加盟店名
２５ｃ    住所
２５ｄ    電話番号
２５ｅ    ホームページアドレス
２５ｆ    メールアドレス
２５ｇ    広告
２５ｈ    当選周期
２５ｉ    有効期間
２５ｊ    捺印欄
２５ｋ    印
２５ｌ    地図
２５ｍ    注意
２６      会員Ｎｏ認証
２７      ＩＤ登録
２７ａ    サイトタイトル
２７ｂ    新規加盟店登録画面
２７ｃ    店舗名他
２７ｄ    取扱商品他
２７ｅ    ＵＲＬ
２７ｆ    代表者氏名
２７ｇ    フリガナ
２７ｈ    住所
２７ｉ    電話番号
２７ｊ    メールアドレス
２７ｋ    希望パスワード
２７ｌ    確認入力
２７ｍ    送信ボタン
２８      ＩＤ配布
２９      ＩＤ入力
３０      加盟店ホームページアップロード画面
３１      内容の追加・訂正・削除
３２      アップロード（データ転送）
３３      ログアウト
【図１】
2004303159.tif 000003
【図２】
2004303159.tif 000004
【図３】
2004303159.tif 000005
【図４】
2004303159.tif 000006
【図５】
2004303159.tif 000007
【図６】
2004303159.tif 000008
【図７】
2004303159.tif 000009
【図８】
2004303159.tif 000010
【図９】
2004303159.tif 000011
【図１０】
2004303159.tif 000012
【図１１】
2004303159.tif 000013
【図１２】
2004303159.tif 000014
【図１３】
2004303159.tif 000015